(57)【要約】【課題】２枚葺きの屋根構造においてつららの発生を抑制する。【解決手段】水平な第１の方向と交わる斜めの第２の方向に傾けた下葺材４と、下葺材と略平行に傾けた、雪の積載荷重を支えるための剛性板である上葺材６と、この上葺材を下葺材に対して支える断熱支持具と、下葺材の上面全体に敷設した断熱材１６とを具備し、この断熱材の上面と上葺材の下面との間のスペースを一つの連続空間１８とした通気機能付きの２重屋根構造であって、その屋根の第２の方向の下側の端部分に第１の通気口２２を、また第２の方向の上側の端部分に第２の通気口２８をそれぞれ形成して、これら通気口を経由して連続空間が外気と連通するようにするとともに、上記下葺材及び上葺材を、それぞれ断面山形の凸条と断面谷形の凹条とを上記第１の方向に交互に繰り返す折板として形成している。【選択図】図１
2009270349.tif 000002
【特許請求の範囲】
【請求項１】
水平な第１の方向と交わる斜めの第２の方向に傾けた下葺材と、
下葺材と略平行に傾けた、雪の積載荷重を支えるための剛性板である上葺材と、
この上葺材を下葺材に対して支える断熱支持具と、
下葺材の上面全体に敷設した断熱材と、を具備し、
この断熱材の上面と上葺材の下面との間のスペースを一つの連続空間とした通気機能付きの２重屋根構造であって、
その屋根の第２の方向の下側の端部分に第１の通気口を、また第２の方向の上側の端部分に第２の通気口をそれぞれ形成して、これら通気口を経由して連続空間が外気と連通するようにするとともに、
上記下葺材及び上葺材を、それぞれ断面山形の凸条と断面谷形の凹条とを上記第１の方向に交互に繰り返す折板として形成したことを特徴とする、通気機能付きの２重屋根構造。
【請求項２】
上記連続空間を画成する仕切りを、上葺材と下葺材との対応する端部分の間に設けるとともに、
この仕切りのうち、上記第２の方向の下側の屋根の端部分全体に亘って均等に分在させるように、受風口及び冷気導入口を兼ねる複数の第１の通気口を、少なくとも上葺材の凹条底部に対応する位置に配置させたことを特徴とする、請求項１に記載の通気機能付きの２重屋根構造。
【請求項３】
上葺材の全体を、相互に接する金属折板で形成したことを特徴とする、請求項２に記載の通気機能付きの２重屋根構造。
【請求項４】
上記断熱材は、独立気泡の発泡材料を現場で吹き付けてなることを特徴とする、請求項２又は請求項３に記載の通気機能付きの２重屋根構造。
【請求項５】
上記断熱材を、下葺材の上面に代えて下葺材の下面に敷設し、かつ連続空間は、下葺材と上葺材との対向面の間に形成させたことを特徴とする、請求項１から請求項４のいずれかに記載の通気機能付きの２重屋根構造。
【発明の詳細な説明】
【技術分野】
【０００１】
本発明は２重屋根構造に関するものである。
【背景技術】
【０００２】
雪の多い地方において、同一方向へ傾斜した上葺板と下葺板とをそれぞれ金属折板とし、この下葺板の上に上葺板との間に空隙を存してグラスウールなどの断熱板を載置した断熱タイプの２重屋根構造が用いられることが多い（特許文献１）。ここでいう断熱とは、主として外部からの熱（特に冬期の冷気）の流入を遮断することを目的とし、従って上記の間隙も断熱層として外部から遮断されているものと理解されている。なお、下葺材と上葺材との隙間を閉塞する部材として、面戸部材が使われている（特許文献２）。
【特許文献１】特開２００１−２４８２６７
【特許文献２】特開平１０−１４８０１３
【特許文献３】特開平４−１７６９３７
【特許文献４】特開平４−４１８４７
【発明の開示】
【発明が解決しようとする課題】
【０００３】
特許文献１の２重屋根構造では軒先からつららが発生することが多く、その除去作業に多くの手間を必要とした。そこで本出願人がつららの発生する原因を研究したところ、複数のグラスウールなどの断熱板を下葺板の上に敷設していくときに、断熱板と断熱板との間に隙間ができて局部的に建物側からの熱が漏出し、上葺板の上の雪を溶かし、つららとなることが判った。この対策として、発泡性の断熱材を現場で下葺板の上に一様に吹きつけるということが考えられる。しかしながら、施工不良などにより断熱材が局部的に薄くなり、そこから熱が漏出する可能性がないとは言えない。
【０００４】
これに対して出願人は、断熱材と上葺材との空間に外気を導入してこの空間を冷やし、建物内部から上葺板へ熱が伝わらないようにすることに想い至った。
この着想に関連した技術を調査すると、同じ向きに傾いた平らな下葺板と上葺板との間に、下側から上側へ抜ける通風路を形成した家屋の通風装置が知られている（特許文献３）。しかしながら、この装置は、夏期に屋根裏の通風路に風を通して涼しい環境を、また、冬期には屋根裏と外気とを遮断してファンを作動させて暖かい環境を保つものであり（同文献の「作用」の欄）、冬期の屋根裏に外気を導入するという意図はない。
【０００５】
屋根裏に外気を導入するための要因としては、自然風及び重力換気作用が考えられるが、自然風は常時吹いている訳ではなく、また冬期の重力換気作用は夏期に比べて微弱である。もともと断熱材は建物内部からの放熱も遮断するものであり、たまたま施工不良の箇所から熱が漏れるに過ぎないからである。重力換気作用が弱いという前提条件で雪が融けることを抑制することが本発明の課題となる。
【０００６】
本発明の第１の目的は、２枚葺きの屋根構造のうち、下葺材上に載置した断熱材と上葺材との間の連続空間に冬期の外気を導入するための通気口を設け、屋根構造を内側から冷却することで、上葺材の上の雪が融けてつららが発生することを抑制することである。
【０００７】
本発明の第２の目的は、上葺材を金属折板とすること、或いは通気口の配置を工夫することにより、断熱材の一箇所から漏出した熱が周囲に拡散するようにして雪が更に融けにくくすることである。
【課題を解決するための手段】
【０００８】
第１の手段は、
水平な第１の方向と交わる斜めの第２の方向に傾けた下葺材と、
下葺材と略平行に傾けた、雪の積載荷重を支えるための剛性板である上葺材と、
この上葺材を下葺材に対して支える断熱支持具と、
下葺材の上面全体に敷設した断熱材と、を具備し、
この断熱材の上面と上葺材の下面との間のスペースを一つの連続空間とした通気機能付きの２重屋根構造であって、
その屋根の第２の方向の下側の端部分に第１の通気口を、また第２の方向の上側の端部分に第２の通気口をそれぞれ形成して、これら通気口を経由して連続空間が外気と連通するようにするとともに、
上記下葺材及び上葺材を、それぞれ断面山形の凸条と断面谷形の凹条とを上記第１の方向に交互に繰り返す折板として形成している。
本手段では、折板で形成した上葺材と下葺材の上に敷設した断熱材との間に連続空間を形成し、この連続空間を外気と連通する通気口を形成することを提案している。冬期において連続空間に外気を導入して、連続空間及び上葺材を外気温と同温度化するためである。前述の特許文献１も特許文献３も、冬期においては、下葺材−断熱材−空隙−上葺材が一体として外部からの冷熱の侵入を遮断するように作用する。これに対して本手段では、屋根構造の下半部（断熱材及び下葺材）は外部からの冷熱の侵入を遮断するもの、屋根構造の上半部（連続空間及び上葺材）は、建物内部からの温熱の放出を抑制するものであり、機能的に分離していることが特長である。
【０００９】
もともと雪は、空気を多量に含むので水や氷に比べて熱伝導率が低いものである。しかし積雪の場合には、その重量により下層部が圧密されるので、熱伝導性が高くなり、下からの放熱により融解し易く、しかも積雪表面からの冷気の浸透も期待できない。上記の通り熱伝導率の低い表層の雪により遮断されてしまうからである。そこで予め上葺材と上葺材との間に予め冷たい外気を引き込むようにしたのである。
【００１０】
本手段は、主として３つの作用を有する。第１は、通気口から連続空間内に冬期の冷たい外気を導入し、連続空間と上葺材と積雪の下層部とを冷却することである。これにより、熱の漏出箇所で発生する暖気（暖かい空気をいう）を弱める。第２は、自然風又は重力換気作用により通気口を介して暖気を排除することである。第３は、暖気が上葺材の折板形状に沿って流れ、また上葺材を経由して熱伝導することで、漏出箇所から周囲へ熱を逃がすことで雪の局部的な融解を抑制することである。
【００１１】
なお、本明細書において、「第１の方向」及び「第２の方向」という言葉は、相対的な向きを示すために用いている。図１の例では、第１の方向は建物の桁行方向であり、第２の方向は凸条及び凹条の傾斜方向である。
【００１２】
「断熱材」は、グラスウールなどでもよいが、後述の独立気泡の発泡材が好適である。断熱材は、少なくとも下葺材及び下葺材と熱的に接する金具類（外気に直接さらされているものを除く）が連続空間に露出しないように設けることが望ましい。
【００１３】
「通気口」は、建物が第１の方向に長いときには、屋根裏空間全体の良好な通気が得られるように、その方向に長い一つの通気口、当該方向に均等に分散した複数の通気口を設けるとよい。これら通気口は、連続空間を画成する仕切りに設けるとよい。この仕切りに関しては後述する。好適な図示例では、第１の通気口は、下葺材及び上葺材の軒先側の端部分の間に形成した中面戸部材に、また第２の通気口は、上葺材の表面側に設置した上側面戸部材にそれぞれ設けている。
【００１４】
「下葺材」と「上葺材」とは、同一方向に傾斜して、両葺材の間の連続空間内の空気が自然風又は重力換気作用により上側の通気口を経由して外部へ流通するように構成している。また下側の通気口からは外気が導入される。
下葺材及び上葺材は、第１の方向に凸条と凹条とを繰り返す折板構造としている。本発明において上葺材を折板とすることには積雪の荷重を支えるという以外に次のような利点がある。すなわち図７（Ｃ）に示すように断熱材の一箇所で発生した暖気が折板の凸条頂部に流れ込み、つららの主な発生場所である凹条の底部との間に距離をとることができ、熱を拡散することができる。
【００１５】
「凸条」は断面山形に、「凹条」は断面谷形に形成されている。山形及び谷形とは、図２に示すような台形や三角形に限らない。少なくとも暖気が凸条の裏面側へ、融解水が凹条の表面側に重力により斜めに流れ込むように構成されていればよい。それら凸条及び凹条の斜壁の傾きαは、上葺材及び下葺材の、棟から軒先側への傾斜角θよりも大きいことが望ましい（図１参照）。
【００１６】
「連続空間」とは、通気路としての機能を有し、少なくとも第１の通気口及び第２の通気口を経由してそれぞれ外部に連続している空間をいう。一つの屋根裏空間全体に亘って連続されていることが好適であるが、必ずしもそれは必須ではない。また連続空間は、外気の導入により冷却された空気を蓄える機能を有する。特許文献１の断熱屋根の空気層は薄いほど空気の動きが鈍くなり、断熱性能の点で有利であるのに対して、本発明の連続空間は屋根裏空間に占めるスペースが大きいほど通気性の点で有利である。
【００１７】
第２の手段は、第１の手段を有し、かつ
上記連続空間を画成する仕切りを、上葺材と下葺材との対応する端部分の間に設けるとともに、
この仕切りのうち、上記第２の方向の下側の屋根の端部分全体に亘って均等に分在させるように、受風口及び冷気導入口を兼ねる複数の第１の通気口を、少なくとも上葺材の凹条底部に対応する位置に配置させている。
【００１８】
本手段では、受風口及び冷気導入口を第１の通気口を上葺材の凹条底部に対応する位置に配置することを提案している。「凹条底部に対応する位置」とは凹条底部の近傍（好適な図示例では底部の真下）ということである。受風口を上葺材の凹条底部に配置することで連続空間のうち最も低い場所から屋根の上端側まで空間全体を通風することができる。また、冷気導入口をつららの主たる発生箇所である凹条底部に対応して配置することで、この底部の上葺材を十分に冷却することができ、仮に雪が融けても凹条底部を伝わる融解水を軒先に伝わる前に再凍結させることができる。これによりつららの発生を抑制することができる。
【００１９】
第１通気口は、全ての凹条底部に設ける必要はなく、均等に配置されていれば、例えば１個置きに配置してもよい。もっとも断面波形の連続空間の形状を考えると、全ての凹条底部に配置した方が通気性能がよい。
【００２０】
「仕切り」は、上葺材と下葺材との隙間（面戸）内に挿入する面戸部材、及び、及びその隙間を外側から覆う閉塞部材の何れでもよい。仕切りは、断熱性能を有し、上葺材と下葺材との間の熱の伝導を抑制できるように構成するとよい。
第３の手段は、第２の手段を有し、かつ上葺材の全体を、相互に接する金属折板で形成している。
【００２１】
本発明の構成では、外気温度が氷点以下であってつららが発生し得る環境条件では、その冷気が連続空間から上葺材を経て上葺材の上の積雪の下層部へと伝わる。従って本発明では次のような関係が成立する。
［数式１］上葺材の温度≦積雪下層部の温度  （但し外気温度が氷点以下とする）
また、一般に金属は雪や氷に比べて熱伝導率が大きい。すなわち
［数式２］雪の熱伝導率＜金属の熱伝導率
一般に金属の熱伝導率は氷や雪に比べて大きい。理科年表によると氷の熱伝導率が約２Ｗ／ｍ・ｋ、例えば鉄の熱伝導率は約８０Ｗ／ｍ・ｋである。積雪の熱伝導率は、圧縮の度合いによって異なるが、圧縮度の大きい積雪の下層部では水の熱伝導率（約０．６Ｗ／ｍ・ｋ）に近い。数式１及び数式２の条件では、上葺材の方が雪よりも熱伝導性が高く、かつ上葺材が雪と同等以上に冷えているのであるから、熱の漏出箇所においては、積雪の下層部よりも当該箇所の周りの上葺材部分に伝わり易い。その結果、漏出箇所から上葺材を介して屋根全体に分散し、雪の融解を抑制できる。上葺材は熱的に下葺材から隔絶していることが望ましい。
【００２２】
第４の手段は、第２の手段又は第３の手段を有し、かつ上記断熱材は、独立気泡の発泡材料を現場で吹き付けてなる。
【００２３】
本手段では、一般のグラスウールなどに比べて断熱性能の高い独立気泡の発泡材を断熱材とすることを提案としている。特許文献１の断熱屋根では上葺材及び断熱材の間の密閉空気と、断熱材とで断熱機能を果たしているところ、本発明では断熱材のみで断熱機能を果たしており、断熱性能のよいものを用いなければ断熱材が嵩張るからである。例えば市販のグラスウール（１０Ｋ）の熱伝導率は０．０５０Ｗ／ｍｋとし、発泡ウレタンの熱伝導率を０．０２２Ｗ／ｍｋとするとき、厚さ１００ｍｍのグラスウールと同じ断熱性を厚さ４５ｍｍの発泡ウレタンで実現することができる。
【００２４】
第５の手段は、第１の手段から第４の手段のいずれかを有し、かつ
上記断熱材は、下葺材の上面に代えて下葺材の下面に敷設し、かつ連続空間は、下葺材と上葺材との対向面の間に形成させている。
【００２５】
本手段では、第１の手段の作用・効果に加えて次のような効果がある。上記構成では連続空間に対して上葺材及び下葺材の両方が露出しているから、通気口から導入された外気によって、連続空間の空気、上葺材の他に下葺材も冷却されることになる。従って下葺材にも冷熱をためることができることになる。下葺材を金属折板とすると、第３の手段で述べたことが下葺材にも援用することができ、さらに性能が高まる。
【発明の効果】
【００２６】
第１の手段に係る発明によれば次の効果を奏する。
○連続空間を通気口を介して外気に連通したから、冬季に外気を導入することで連続空間全体を冷却し、下葺材から上葺材へ熱が伝達しないようにしてつららの発生を抑制できる。
○上葺材を山と谷とを繰り返す折板としたから、冬の換気が悪い時期に下葺材から漏出する暖気が主として凸条の裏面側を流れるようにして、つららの発生し易い凹条から遠ざけたから、つらら抑制効果を高めることができる。
【００２７】
第２の手段に係る発明によれば次の効果を奏する。
○複数の通気口をほぼ均等に配置したから、連続空間の温度を外気温度に効率的に近づけることができる。
○つららの発生箇所である凹条の底部付近に通気口を開口し、裏面側から冷やすようにしたから、つららの成長を抑止できる。
【００２８】
第３の手段に係る発明によれば、上葺材を金属で形成したから、一部から漏出した熱を拡散することができる。
【００２９】
第４の手段に係る発明によれば、独立気泡の発泡材を利用するから、グラスウールなどに比べて断熱性能が高く、断熱材を薄くすることができる。
【００３０】
第５の手段に係る発明によれば、断熱材を下葺材の裏面に敷設したから、上葺材だけでなく下葺材も外気で冷却することができる。
【発明を実施するための最良の形態】
【００３１】
本発明の屋根構造は、固定手段２と、下葺材４と、上葺材６と、断熱支持具１４と、断熱材１６と、第１の仕切り材２０と、上側面戸部材２６と、第２の仕切り材（妻側閉塞材）３０を主要部材としている。
【００３２】
固定手段２は、下葺材を建物の骨組みに固定するための手段である。具体的には、任意の水平方向に配向した横材（図示例では桁）Ｂの上に、下葺材の凹凸形状にフィットするように形成したタイトフレームを、等間隔に固設し、これらタイトに下葺材をボルト・ナットなどの係止具で固定すればよい。
【００３３】
下葺材４と上葺材６とは、第１の方向と直交する方向に傾斜しており、後述の断熱支持具で下葺材に対して上葺材を支えている。下葺材４及び上葺材６は、ともに上記第１の方向に断面山形の凸条４ａ、６ａと断面谷形の凹条４ｂ、６ｂとを等間隔で繰り返す折板としている。下葺材の凸条４ａは上葺材の凸条６ａ内に突入して、下葺材と上葺材との間隔がおおよそ一定となるように設ける。図示例では、上記下葺材４及び上葺材６は、丸馳方式で結合した複数の折板からなる。各葺材の厚さは、好適な一例として、上葺材を０．８ｍｍ、下葺材を０．６ｍｍとすることができる。上葺材を厚くすることで、積雪に対する支持力を向上することができるとともに、より多くの冷熱をためることができる。
【００３４】
これら下葺材及び上葺材は、熱伝導性のよく、かつ加工し易い金属板で形成するとよい。従来公知のように各葺材は、屋根を葺く現場で一枚の金属板を順次波形に形成し、かく金属板の端部を、馳締めすることで連続形成することができる。馳締部において各金属板は熱的に接続している。なお、馳締めの代わりに金属板の端部同士を重ね合わせ、ボルト留めすることも行われている（特許文献４の第６図示の下葺材参照）。上葺材６は後述の通気口から雨水が吹き込みにくいように下葺材よりも下外方へ長く設ける。
【００３５】
上記凸条４ａ、６ａ及び凹条４ｂ、６ｂは、第２の方向に延びている。各凸条の頂部８及び凹条の底部１０は平らに形成されている。凹条の底部１０から凸条の頂部８に至る部分は斜壁１2としている。水平面に対する斜壁の傾きθは上葺材及び下葺材の傾斜角αよりも大きくしている。
【００３６】
断熱支持具１４は、従来公知のものであり、下葺材へ固定される部分１４ａと上葺材へ連結される部分１４ｂとの間に例えば合成樹脂などで形成された断熱部分１４ｃを介在させたものである。断熱部分以外は金具として形成してもよいが、下葺材への固定部分１４ａは図示の如く後述の断熱材内に埋設され、連続空間中に露出していないことが望ましい。断熱支持具の構成としては、例えば下葺材への固定部分１４ａを、下葺材の櫨部を挟持するように設け、また、上葺材への連結部分１４ｂを、断熱部分から起立する吊子とし、上葺材の馳締部に巻き込むように形成してもよい。こうした断熱支持具１４を下葺材と上葺材との凸条頂部の間に挿入するものとし、かつ図４に示す如く第２の方向全長に亘って複数個間欠的に挿入する。
【００３７】
断熱材１６は、下葺材の上に敷設している。この断熱材は、発泡ウレタンなどの独立気泡の発泡材を現場で吹き付けて形成するとよい。断熱材１６の上面と上葺材６との間には連続空間１８が形成される。断熱材１６の厚さ（上下巾）は、連続空間の上下巾よりも薄く形成することが望ましい。限られた屋根裏空間のスペースのうち通気路である連続空間の割合を多くすることで通気性能が高まる。好適な一例として、下葺材と上葺材との垂直方向の距離が１００ｍｍであるとすると、断熱材を４０ｍｍ、連続空間を６０ｍｍとすることができる。
【００３８】
第１の仕切り材２０は、図５に示す如く塞ぎ板２３と下側面戸部材（軒先面戸部材）２４とで形成している。塞ぎ板２３は、主として下葺材の凸条下側の溝を閉塞するものであり、桁行方向（第１の方向）に長く形成している。塞ぎ板２３は建物Ｂの適所に対して接合具で固定されている。また、塞ぎ板２３の上端部と連結して、上葺材の凸条下側の溝を閉塞する下側面戸部材２４を設けている。第１の仕切り材２０の裏面及び端面は、図示しない断熱部でカバーすることができる。これにより外気によって冷却された下葺材４と、暖房された建物内部と接する上葺材６とを熱的に遮断することができ、エネルギーの損失を少なくすることができる。上葺材及び下葺材に対する第１の仕切り材の固定はビス留めによればよい。なお、第１の仕切り材を、図１０に示すような中面戸部材とすることもできる。
【００３９】
この塞ぎ板２３のうち凹条底部に対応する部分と下側面戸部材２４のうち凸条頂部に対応する部分とにそれぞれ受風口及び外気導入口を兼ねた第１の通気口２２を開口している。図示例の通気口は矩形の広口に形成している。図示の例では、正面から見た第１の仕切り材の面積の半分近くを通気口が占めており、十分な通気性が得られるように設計している。通気口を設置する目的は、連続空間を外気温と同温度化することであるが、屋根構造の大きさなどから常に連続空間の全てを同温度化できるとは限らない。しかしながら、少なくとも連続空間のうち軒寄りの部分を外気温と同温度化できる程度に通気口の面積を設定する。
【００４０】
上側面戸部材２６は、連続空間１８から外側に抜ける流路の出口に、上葺材４の上面と棟包２９の下面との間の隙間を塞ぐように設置されている。この上側面には第２の通気口２８が開口されている。また、上側面戸部材２６の外側には、上葺材の底部との間に隙間を存して、雨水の吹き込みを防止するためのエプロン２７を設置することが望ましい。
なお、第１の通気口２２の総面積及び第２の通気口２８の総面積はそれぞれ十分な通気性が得られる程度に大きくする。もっとも通路を流れる空気量は流れの狭窄部の流路面積に決まるので、第１の通気口及び第２の通気口のいずれについても十分な開口面積を確保することが重要である。
【００４１】
第２の仕切り材３０は、下葺材４と上葺材６との第１水平方向の各端部間の隙間を閉塞している。第２の仕切り材にも、下葺材４と上葺材６との熱の伝導を抑制するように断熱部を設けることが望ましい。
【００４２】
上記構成において、積雪時期には、外の冷気が第１の通気口２２を経て連続空間内に導入される。これにより連続空間の空気が冷却され、次に上葺材６が冷却され、さらに上葺材の上の積雪Ｓの下層部が冷却される。図７（Ａ）に冷熱の伝達を白矢印で示す。次に建物内部で暖房機などを使用し、その熱が図７（Ｂ）に黒矢印で示すように断熱材の一部を介して漏れると、連続空間内に暖気が発生するが、この暖気は連続空間内の周囲の空気及び上葺材との熱交換により熱量を失い、温度が低下する。このとき金属製の上葺材６を経由して、屋根全体の上葺材や積雪などの冷熱が熱の漏出箇所に集まるので、熱交換量が大きくなる。次に暖気は図７（Ｃ）に示すように上葺材の折板形状に対応して凸条１０の頂部に流れ込み、上葺材の傾斜に従って連続空間を斜め上方へ移動し、第２の通気口２８から外部へ排出される。前述の通り冬期の重力換気作用は微弱であるが、積雪の一部が局所的に温められることを避ければ、通気口や上葺材を経由する冷気の流入と重力換気作用とのバランスがとれ、積雪が融解することを防止することができる。また仮に積雪の一部が融けても、融解水は上葺材の凸条頂部側から凹条底部側へ流れ込もうとする。その間にまだ融けていない雪に接するので再凍結する可能性もある。仮に雪が融けても、第１の通気口を上葺材の凹条の底部に対応して配置し、この底部が特に冷やされるようにしているので、軒先に達する前に再凍結するものと期待される。
【００４３】
また、有風時には、自然風が通気口から内部に入って暖気を強制的に排除する。従ってつららの発生を抑制することができる。
【００４４】
図８は、本発明の第２の実施形態に係る屋根構造を示している。本実施形態では、断熱材１６を、下葺材４の上面ではなく下面に形成したものである。このようにすることで、上葺材６だけではなく下葺材４も外気により冷却することができる。第１実施形態では、上葺材及び連続空間を、下葺材及び建物に対して熱的に絶縁していたが、本実施形態では、下葺材の支持にも断熱金具などを用いて、上葺材と連続空間と下葺材とを、建物内部に対して熱的に絶縁するとよい。
【実施例】
【００４５】
［実施例１］
本実施例では、図９に示す如く、上葺材６の軒先部分に雪落とし用の透孔３２を開口している。この透孔の上側からは案内板３４を垂下し、透孔の下側からは雪止め板３６を起立している。透孔３２の真下には樋３８を配置している。樋の内側には融雪ヒータ４０を設置し、樋内の雪を融かして導水管４２を経て排水するようにしている。
【００４６】
［実施例２］
本実施例は、第１の仕切り部材の変形例であり、図１０に示す如く、第１の仕切り板を、下葺材及び上葺材の間に嵌め込む面戸部材とし、この部材に第１通気口を開口したものである。
［実施例３］
本実施例は、第１の通気口の変形例であり、図示はしていないが、鳥の営巣防止用の格子を設置したものである。好適な一例として２０ｍｍ間隔の升目状の格子とすればよい。
【図面の簡単な説明】
【００４７】
【図１】本発明の第１の実施形態に係る屋根構造の斜視図である。
【図２】図１の屋根構造の縦断面図である。
【図３】図２の屋根構造のIII−III方向縦断面図である。
【図４】図２の屋根構造のIV−IV方向縦断面図である。
【図５】図１の屋根構造の一部省略正面図である。
【図６】図１の屋根構造の分解斜視図である。
【図７】図１の屋根構造の作用説明図である。
【図８】本発明の第２の実施形態に係る屋根構造の斜視図である。
【図９】本発明の実施例である。
【図１０】本発明の他の実施例である。
【符号の説明】
【００４８】
１…屋根構造  ２…固定手段  ４…下葺材  ６…上葺材  ４ａ、６ａ…凸条
４ｂ、６ｂ…凹条  ８…頂部  １０…底部
１２…斜壁  １４…断熱支持具  １６…断熱材  １８…連続空間
２０…第１の仕切り材（中面戸部材）  ２２…第１通気口  ２３…塞ぎ板
２４…下側面戸部材  ２６…上側面戸部材  ２７…エプロン  
２８…第２通気口  ２９…棟包
３０…第２の仕切り材（妻側閉塞材）  ３２…透孔  ３４…案内板
３６…雪止め板  ３８…樋  ４０…融雪ヒータ  ４２…導水管
Ｓ…雪  Ｂ…建物  Ｄ１…第１の方向  Ｄ２…第２の方向
【図１】
2009270349.tif 000003
【図２】
2009270349.tif 000004
【図３】
2009270349.tif 000005
【図４】
2009270349.tif 000006
【図５】
2009270349.tif 000007
【図６】
2009270349.tif 000008
【図７】
2009270349.tif 000009
【図８】
2009270349.tif 000010
【図９】
2009270349.tif 000011
【図１０】
2009270349.tif 000012